(57)【要約】【課題】エレベータのかごドアの開閉の度合いに応じて音の発生状態を変化させてかごドアの開放状態を正確に通知することができる。【解決手段】エレベータかご１に開閉自在に設置されたかごドア４の開閉中の位置を検出して位置検出信号を出力するかごドア位置検出装置（ロータリエンコーダ）６と、かごドア４の開放の開始に伴い音を発生させる音発生装置７と、かごドア位置検出装置６より出力される位置検出信号に基づいて音発生装置７が発生させる音の状態を変化させるように位置検出信号を増幅させる増幅装置８と、を備えている。かごドア位置検出装置６は位置検出信号によりかごドア４が閉止状態から開いていくに従って信号強度を徐々に変化させる。増幅装置８はかごドア位置検出装置６より出力された位置検出信号の信号強度の変化に応じて音発生装置７が発生させる音の出力状態を信号強度の変化の度合いに応じて徐々に変化させる。【選択図】図１
2008230810.tif 000002
【特許請求の範囲】
【請求項１】
エレベータかごに開閉自在に設置されたかごドアの開閉中の位置を検出して位置検出信号を出力するかごドア位置検出装置と、前記かごドアの開放の開始に伴い音を発生させる音発生装置と、前記かごドア位置検出装置より出力される前記位置検出信号に基づいて前記音発生装置が発生させる前記音の状態を変化させるように前記位置検出信号を増幅させる増幅装置と、を備え、
前記かごドア位置検出装置は前記位置検出信号により前記かごドアが閉止状態から開いていくに従って信号強度を徐々に変化させ、前記増幅装置は前記かごドア位置検出装置より出力された前記位置検出信号の信号強度の変化に応じて前記音発生装置が発生させる音の出力状態を前記信号強度の変化の度合いに応じて徐々に変化させることを特徴とするエレベータドア装置。
【請求項２】
前記かごドア位置検出装置は前記位置検出信号により前記かごドアが閉止状態から開いていくに従って信号強度が大きくなるように変化させ、前記増幅装置は前記かごドア位置検出装置より出力された前記位置検出信号の信号強度が大きくなるのに応じて前記音発生装置が発生させる音の音量が徐々に大きくなるように変化させると共に、
前記かごドア位置検出装置は前記位置検出信号により前記かごドアが開放状態から閉じていくに従って信号強度が除除に小さくなるように変化させ、前記増幅装置は前記かごドア位置検出装置より出力された前記位置検出信号の信号強度が小さくなるのに応じて前記音発生装置が発生させる音の音量が徐々に小さくなるように変化させることを特徴とする請求項１に記載のエレベータドア装置。
【請求項３】
前記かごドア位置検出装置が前記かごドアの全開状態を検出したときに前記位置検出信号の信号強度が最強で一定となるように出力し、前記増幅装置は最強に増幅された前記信号強度に基づいて前記音発生装置に対して最大の音量の音を一定の状態で発生させることを特徴とする請求項２に記載のエレベータドア装置。
【請求項４】
前記かごドア位置検出装置は前記位置検出信号により前記かごドアが閉止状態から開いていくに従って信号強度が大きくなるように変化させ、前記増幅装置は前記かごドア位置検出装置より出力された前記位置検出信号の信号強度が大きくなるのに応じて前記音発生装置が発生させる音の音程が徐々に高くなるように変化させると共に、
前記かごドア位置検出装置は前記位置検出信号により前記かごドアが開放状態から閉じていくに従って信号強度が小さくなるように変化させ、前記増幅装置は前記かごドア位置検出装置より出力された前記位置検出信号の信号強度が小さくなるのに応じて前記音発生装置が発生させる音の音程が徐々に低くなるように変化させることを特徴とする請求項１に記載のエレベータドア装置。
【請求項５】
前記かごドア位置検出装置が前記かごドアの全開状態を検出したときに前記位置検出信号の信号強度が最強で一定となるように出力し、前記増幅装置は最強に増幅された前記信号強度に基づいて前記音発生装置に対して最も高い音程の音を一定の状態で発生させることを特徴とする請求項４に記載のエレベータドア装置。
【請求項６】
前記かごドア位置検出装置は前記位置検出信号により前記かごドアが閉止状態から開いていくに従って信号強度が大きくなるように変化させ、前記増幅装置は前記かごドア位置検出装置より出力された前記位置検出信号の信号強度が大きくなるのに応じて前記音発生装置が発生させる音の速度が徐々に速くなるように変化させると共に、
前記かごドア位置検出装置は前記位置検出信号により前記かごドアが開放状態から閉じていくに従って信号強度が小さくなるように変化させ、前記増幅装置は前記かごドア位置検出装置より出力された前記位置検出信号の信号強度が小さくなるのに応じて前記音発生装置が発生させる音の速度が徐々に遅くなるようにさせることを特徴とする請求項１に記載のエレベータドア装置。
【請求項７】
前記かごドア位置検出装置が前記かごドアの全開状態を検出したときに前記位置検出信号の信号強度が最強で一定となるように出力し、前記増幅装置は最強に増幅された前記信号強度に基づいて前記音発生装置に対して最も速いテンポの音を一定の状態で発生させることを特徴とする請求項５に記載のエレベータドア装置。
【請求項８】
前記かごドア位置検出装置は、前記かごドアの位置が全閉状態から全開状態まで開いていく度合いにより信号強度を徐々に強くし、または、全開状態から全閉状態まで閉じていく度合いにより信号強度を徐々に弱くするように前記位置検出信号を出力すると共に、
前記信号強度が徐々に変化する前記位置検出信号に応じて、表示内容の状態を徐々に変化させながら前記かごドアの開閉状態を表示する表示装置をさらに備えることを特徴とする請求項１に記載のエレベータドア装置。
【発明の詳細な説明】
【技術分野】
【０００１】
本発明はエレベータドア装置に関し、特に、エレベータの利用者にかごドアの開閉状態を音で知らせるエレベータドア装置に関する。
【背景技術】
【０００２】
一般に、エレベータでは、かごの運行状態を利用者に知らせるための種々の報知装置が設けられており、具体的なものとしては、エレベータが設けられる建物の各階のホールやかご内の操作盤に表示装置を設け、そのかごの昇降予定方向や目的階を表示ランプ等により報知している。また、
従来、利用者が指定した階にかごが到着したときや、エレベータホールからの呼び登録のあった階にかごが到着したときに、到着の寸前にエレベータのかご内やホールに設けた音発生装置からチャイムやアナウンス等の音を発生させて、利用者にエレベータの到着を知らせる場合もある。
【０００３】
また、エレベータのかごが昇降動作を開始する際、つまりかごドアが閉まる前にアナウンスが流れてかごドアの閉止動作の開始を知らせるようにした報知システムも提案されている。
【発明の開示】
【発明が解決しようとする課題】
【０００４】
しかしながら、視覚障害をもつ利用者がエレベータのかごを利用したり、アナウンス等の注意音が発せられてもたまたま聞き逃してしまったりした場合には、利用者がかごドアの開閉状態を認識することができず、かごドアが閉止されていく途中でかごに乗り込もうとしてドアに挟まれたり、その逆にかごドアが完全に開ききる前にドアの一部に身体をぶつけてしまったりするという問題がある。
【０００５】
本発明は上記課題に鑑みてなされたものであり、エレベータのかごドアの開閉の度合いに応じて音の発生状態を変化させてかごドアの開放状態を正確に通知するエレベータドア装置を提供することを目的とする。
【課題を解決するための手段】
【０００６】
上記課題を解決するため、基本概念としての本発明の第１構成に係るエレベータドア装置は、エレベータかごに開閉自在に設置されたかごドアの開閉中の位置を検出して位置検出信号を出力するかごドア位置検出装置と、前記かごドアの開放の開始に伴い音を発生させる音発生装置と、前記かごドア位置検出装置より出力される前記位置検出信号に基づいて前記音発生装置が発生させる前記音の状態を変化させるように前記位置検出信号を増幅させる増幅装置と、を備え、前記かごドア位置検出装置は前記位置検出信号により前記かごドアが閉止状態から開いていくに従って信号強度を徐々に変化させ、前記増幅装置は前記かごドア位置検出装置より出力された前記位置検出信号の信号強度の変化に応じて前記音発生装置が発生させる音の出力状態を前記信号強度の変化の度合いに応じて徐々に変化させることを特徴とする。
【０００７】
第２構成のエレベータドア装置は、第１構成に記載のものにおいて、前記かごドア位置検出装置は前記位置検出信号により前記かごドアが閉止状態から開いていくに従って信号強度が大きくなるように変化させ、前記増幅装置は前記かごドア位置検出装置より出力された前記位置検出信号の信号強度が大きくなるのに応じて前記音発生装置が発生させる音の音量が徐々に大きくなるように変化させると共に、前記かごドア位置検出装置は前記位置検出信号により前記かごドアが開放状態から閉じていくに従って信号強度が除除に小さくなるように変化させ、前記増幅装置は前記かごドア位置検出装置より出力された前記位置検出信号の信号強度が小さくなるのに応じて前記音発生装置が発生させる音の音量が徐々に小さくなるように変化させることを特徴とする。
【０００８】
第３構成のエレベータドア装置は、第２構成に記載のものにおいて、前記かごドア位置検出装置が前記かごドアの全開状態を検出したときに前記位置検出信号の信号強度が最強で一定となるように出力し、前記増幅装置は最強に増幅された前記信号強度に基づいて前記音発生装置に対して最大の音量の音を一定の状態で発生させることを特徴とする。
【０００９】
第４構成のエレベータドア装置は、第１構成に記載のものにおいて、前記かごドア位置検出装置は前記位置検出信号により前記かごドアが閉止状態から開いていくに従って信号強度が大きくなるように変化させ、前記増幅装置は前記かごドア位置検出装置より出力された前記位置検出信号の信号強度が大きくなるのに応じて前記音発生装置が発生させる音の音程が徐々に高くなるように変化させると共に、前記かごドア位置検出装置は前記位置検出信号により前記かごドアが開放状態から閉じていくに従って信号強度が小さくなるように変化させ、前記増幅装置は前記かごドア位置検出装置より出力された前記位置検出信号の信号強度が小さくなるのに応じて前記音発生装置が発生させる音の音程が徐々に低くなるように変化させることを特徴とする。
【００１０】
第５構成のエレベータドア装置は、第４構成に記載のものにおいて、前記かごドア位置検出装置が前記かごドアの全開状態を検出したときに前記位置検出信号の信号強度が最強で一定となるように出力し、前記増幅装置は最強に増幅された前記信号強度に基づいて前記音発生装置に対して最も高い音程の音を一定の状態で発生させることを特徴とする。
【００１１】
第６構成のエレベータドア装置は、第１構成に記載のものにおいて、前記かごドア位置検出装置は前記位置検出信号により前記かごドアが閉止状態から開いていくに従って信号強度が大きくなるように変化させ、前記増幅装置は前記かごドア位置検出装置より出力された前記位置検出信号の信号強度が大きくなるのに応じて前記音発生装置が発生させる音の速度が徐々に速くなるように変化させると共に、前記かごドア位置検出装置は前記位置検出信号により前記かごドアが開放状態から閉じていくに従って信号強度が小さくなるように変化させ、前記増幅装置は前記かごドア位置検出装置より出力された前記位置検出信号の信号強度が小さくなるのに応じて前記音発生装置が発生させる音の速度が徐々に遅くなるようにさせることを特徴とする。
【００１２】
第７構成のエレベータドア装置は、第６構成に記載のものにおいて、前記かごドア位置検出装置が前記かごドアの全開状態を検出したときに前記位置検出信号の信号強度が最強で一定となるように出力し、前記増幅装置は最強に増幅された前記信号強度に基づいて前記音発生装置に対して最も速いテンポの音を一定の状態で発生させることを特徴とする。
【００１３】
第８構成のエレベータドア装置は、第１構成に記載のものにおいて、前記かごドア位置検出装置は、前記かごドアの位置が全閉状態から全開状態まで開いていく度合いにより信号強度を徐々に強くし、または、全開状態から全閉状態まで閉じていく度合いにより信号強度を徐々に弱くするように前記位置検出信号を出力すると共に、前記信号強度が徐々に変化する前記位置検出信号に応じて、表示内容の状態を徐々に変化させながら前記かごドアの開閉状態を表示する表示装置をさらに備えることを特徴とする。
【発明の効果】
【００１４】
本発明は、エレベータのかごドアの開閉の度合いに応じて音の発生状態を変化させてかごドアの開放状態を正確に通知するドア装置を提供することができる。
【発明を実施するための最良の形態】
【００１５】
以下、添付図面を参照しながら本発明に係るエレベータドア装置の実施形態について詳細に説明する。
【００１６】
（第１実施形態）
第１実施形態によるエレベータドア装置は、図１ないし図４に示すように、エレベータかご１に開閉自在に設置されたかごドア４の開閉中の位置を検出して位置検出信号を出力するかごドア位置検出装置（ロータリエンコーダ）６と、かごドア４の開放の開始に伴い音を発生させる音発生装置７と、かごドア位置検出装置６より出力される位置検出信号に基づいて音発生装置７が発生させる音の状態を変化させるように位置検出信号を増幅させる増幅装置８と、を備えている。かごドア位置検出装置６は位置検出信号によりかごドア４が閉止状態から開いていくに従って信号強度を徐々に変化させる。増幅装置８はかごドア位置検出装置６より出力された位置検出信号の信号強度の変化に応じて音発生装置７が発生させる音の出力状態を信号強度の変化の度合いに応じて徐々に変化させる。
【００１７】
以上の第１実施形態の構成によれば、エレベータのかごドアおよびエレベータホールのドアが開いていくと、スピーカから発せられる音楽やアナウンス等の音の出力状態が徐々に増加方向に変化する。例えば、音量が徐々に大きくなったり、音程が徐々に高くなったり、テンポが徐々に速くなったりする。エレベータのかごドア４に連動して動くエレベータホール側のドアが徐々に閉まっていくと、エレベータかご１のかご内スピーカ９ａから発生させられている音楽やアナウンス等の音の出力状態が徐々に減少方向に変化する。例えば、音量が徐々に小さくなったり、音程が徐々に低くなったり、テンポが徐々に遅くなったりする。したがって、エレベータの利用者は、エレベータかご１のかごドア４の開閉状態を音の変化により知ることができる。
【００１８】
また、エレベータかご１のドア４が戸開状態のときは、一定のボリュームや、音程や、テンポを保持するように設定しておくことにより、エレベータのかごおよびホール側のドアが完全に戸開状態を維持していることが分かり、音が全く聞こえてこない、完全なドア閉止状態や音が変化する開閉動作中の状態との違いを、音の出力状態で確認することができる。また、後述する実施形態のように、表示装置も併用することにより、音の出力状態の変化と表示状態の変化により、視覚障害者や聴覚障害者の何れに対しても有効なかごドア開閉状態の通知手段を提供することができる。
【００１９】
以下、変化させる音の出力状態として、第２実施形態では音量（音の大きさまたはボリューム）、第３実施形態では音程（音の高低）、第４実施形態では音のテンポ（音の変化の速度）を変化させるように制御している。
【００２０】
（第２実施形態）
第２実施形態では、変化させる音の出力状態として、音量（音の大きさまたはボリューム）を変化させるように制御している。第２実施形態の構成を図１に示す。
【００２１】
図１において、エレベータかご１にはかごドア４が設けられ、このかごドア４の開閉はドア制御装置２の制御により行なわれる。かごドア４はリンク機構５によりドア用電動機３と結合され、電動機３にはパルスジェネレータ等のロータリエンコーダ６が取り付けられている。この第２実施形態においては、ロータリエンコーダ６がドア位置検出装置となっている。なお、ロータリエンコーダ６は、回転する部材に設けられていれば良いので、電動機３でもリンク機構の回転板でも何れに設置しても良い。
【００２２】
音発生装置７は、音楽やアナウンス等の音を発生させる。ロータリエンコーダ６の検出したドア位置検出信号は、増幅装置８によりその信号強度が増幅され、その増幅の度合いにより発生する音のボリュームが制御されている。増幅された音はかご内スピーカ９ａおよびホール用スピーカ９ｂへと送られて出力される。
【００２３】
次に、第２実施形態の作用について説明する。エレベータかご１が、特定のフロアに到着すると、ドア制御装置２によりドア用電動機３が回転駆動され、リンク機構５を介してかごドア４が開放される。かごドア４が開放され始めたことにより、音発生装置７から音楽やアナウンスが出力される。一方、ドア用電動機３は、ドア制御装置の指令により回転し続けて徐々に回転速度を増加させる。ロータリエンコーダ６は、電動機３の回転状態を検出して検出信号を増幅装置８へ出力する。増幅装置８は、検出信号の変化に伴い、例えば、音発生装置７が発生させる音を増幅していく。
【００２４】
この増幅された音信号は、かご内スピーカ９ａおよびホール用スピーカ９ｂに送信されて、出力状態の変化する音として出力される。エレベータの利用者は、かごドア４が徐々に開くにつれて、かご内スピーカ９ａおよびホール用スピーカ９ｂの音のボリュームが徐々に大きくなるので、かごドア４の開閉状況を目で確認しなくても、音の出力状態の変化により、確認することができる。かごドア４が全開状態のときには、音の発生を停止するように設定しても良いが、全開状態を維持する限り、例えば最大のボリュームの音を発生させ続けても良い。
【００２５】
また、かごドア４が閉じる場合には、ドア制御装置２からの指令により、電動機３が逆回転するので、ロータリエンコーダ６は開放時の検出信号とは逆の閉止時の検出信号を増幅装置８に出力する。増幅装置８は、この閉止時の検出信号に従って、音発生装置７が発生する音の音量を減衰していく。この減衰した音信号をスピーカ９ａ、９ｂに送信してエレベータかごの内部や図示しないエレベータホールに出力する。かごドア４が完全に閉止された状態になると、音発生装置７は音の発生を停止するか、または、音の音量を最小にする。エレベータの利用者は、スピーカ９ａ，９ｂから発せられる音楽やアナウンス等の音がだんだんと小さくなっていくので、エレベータのかごドア４と連動して動くエレベータホールのドアの閉止されていく状態を確認することができる。
【００２６】
この第２実施形態によれば、エレベータのかごドア４およびこれと連動するエレベータホールのドアが開いていく状態のときには、スピーカ９ａ，９ｂから発せられる音楽やアナウンス等の音の音量が徐々に大きくなり、かごドア４およびこれに連動するエレベータホールのドアが閉まっていく状態のときには、スピーカ９ａ，９ｂから発せられる音楽やアナウンス等の音の音量が徐々に小さくなっていくので、エレベータの利用者は音の音量変化によりドアの開閉状態を認識する。
【００２７】
（第３実施形態）
第３実施形態では、変化させる音の出力状態として、音程（音の高低）を変化させるように制御している。第３実施形態の構成を図２に示す。
【００２８】
図２において、エレベータかご１にはかごドア４が設けられ、このかごドア４の開閉はドア制御装置２の制御により行なわれる。かごドア４はリンク機構５によりドア用電動機３と結合され、電動機３にはパルスジェネレータ等のロータリエンコーダ６が取り付けられている。この第２実施形態においては、ロータリエンコーダ６がドア位置検出装置となっている。なお、ロータリエンコーダ６は、回転する部材に設けられていれば良いので、電動機３でもリンク機構の回転板でも何れに設置しても良い。
【００２９】
音発生装置７は、音楽やアナウンス等の音を発生させる。ロータリエンコーダ６の検出したドア位置検出信号は、音程可変増幅装置１０により異なる音程に増幅され、その増幅の度合いにより発生する音の音程が制御されている。増幅された音はかご内スピーカ９ａおよびホール用スピーカ９ｂへと送られて出力される。
【００３０】
次に、第２実施形態の作用について説明する。エレベータかご１が、特定のフロアに到着すると、ドア制御装置２によりドア用電動機３が回転駆動され、リンク機構５を介してかごドア４が開放される。かごドア４が開放され始めたことにより、音発生装置７から音楽やアナウンスが出力される。一方、ドア用電動機３は、ドア制御装置の指令により回転し続けて徐々に回転速度を増加させる。ロータリエンコーダ６は、電動機３の回転状態を検出して検出信号を音程可変増幅装置１０へ出力する。音程可変増幅装置１０は、検出信号の変化に伴い、例えば、音発生装置７が発生させる音の音程が変化するように増幅していく。
【００３１】
この増幅された音信号は、かご内スピーカ９ａおよびホール用スピーカ９ｂに送信されて、出力状態の変化する音として出力される。エレベータの利用者は、かごドア４が徐々に開くにつれて、かご内スピーカ９ａおよびホール用スピーカ９ｂの音の音程が徐々に高くなるので、かごドア４の開閉状況を目で確認しなくても、音の出力状態の変化により、確認することができる。かごドア４が全開状態のときには、音の発生を停止するように設定しても良いが、全開状態を維持する限り、例えば最も高い音程の音を発生させ続けても良い。
【００３２】
また、かごドア４が閉じる場合には、ドア制御装置２からの指令により、電動機３が逆回転するので、ロータリエンコーダ６は開放時の検出信号とは逆の閉止時の検出信号を音程可変増幅装置１０に出力する。音程可変増幅装置１０は、この閉止時の検出信号にしたがって、音発生装置７が発生する音の音程を低く変化させていく。この音程の低くなる音信号をスピーカ９ａ、９ｂに送信してエレベータかごの内部や図示しないエレベータホールに出力する。かごドア４が完全に閉止された状態になると、音発生装置７は音の発生を停止するか、または、最も低い音程にする。エレベータの利用者は、スピーカ９ａ，９ｂから発せられる音楽やアナウンス等の音程が徐々に低くなっていくので、エレベータのかごドア４と連動して動くエレベータホールのドアの閉止されていく状態を確認することができる。
【００３３】
この第２実施形態によれば、エレベータのかごドア４およびこれと連動するエレベータホールのドアが開いていく状態のときには、スピーカ９ａ，９ｂから発せられる音楽やアナウンス等の音の音程が徐々に高くなり、かごドア４およびこれに連動するエレベータホールのドアが閉まっていく状態のときには、スピーカ９ａ，９ｂから発せられる音楽やアナウンス等の音の音程が徐々に低くなっていくので、エレベータの利用者は音の音量変化によりドアの開閉状態を認識する。
【００３４】
（第４実施形態）
第４実施形態では、変化させる音の出力状態として、音のテンポ（音の変化の速度）を変化させるように制御している。第４実施形態の構成を図３に示す。
【００３５】
図２において、エレベータかご１にはかごドア４が設けられ、このかごドア４の開閉はドア制御装置２の制御により行なわれる。かごドア４はリンク機構５によりドア用電動機３と結合され、電動機３にはパルスジェネレータ等のロータリエンコーダ６が取り付けられている。この第２実施形態においては、ロータリエンコーダ６がドア位置検出装置となっている。なお、ロータリエンコーダ６は、回転する部材に設けられていれば良いので、電動機３でもリンク機構の回転板でも何れに設置しても良い。
【００３６】
音発生装置７は、音楽やアナウンス等の音を発生させる。ロータリエンコーダ６の検出したドア位置検出信号は、テンポの異なる音を複数パターン記録してある音選択増幅装置１１により異なるテンポの音に増幅され、その増幅の度合いにより発生する音のテンポが制御されている。増幅された音はかご内スピーカ９ａおよびホール用スピーカ９ｂへと送られて出力される。
【００３７】
次に、第２実施形態の作用について説明する。エレベータかご１が、特定のフロアに到着すると、ドア制御装置２によりドア用電動機３が回転駆動され、リンク機構５を介してかごドア４が開放される。かごドア４が開放され始めたことにより、音発生装置７から音楽やアナウンスが出力される。一方、ドア用電動機３は、ドア制御装置の指令により回転し続けて徐々に回転速度を増加させる。ロータリエンコーダ６は、電動機３の回転状態を検出して検出信号を音選択増幅装置１１へ出力する。音選択増幅装置１１は、ロータリエンコーダ６等の検出信号の変化に伴い、例えば、音発生装置７が発生させる音の音程が変化するように増幅していく。
【００３８】
この増幅された音信号は、かご内スピーカ９ａおよびホール用スピーカ９ｂに送信されて、出力状態の変化する音として出力される。エレベータの利用者は、かごドア４が徐々に開くにつれて、かご内スピーカ９ａおよびホール用スピーカ９ｂの音のテンポが徐々に速くなるように変化するので、かごドア４の開閉状況を目で確認しなくても、音の出力状態の変化により、確認することができる。かごドア４が全開状態のときには、音の発生を停止するように設定しても良いが、全開状態を維持する限り、例えば最も速いテンポの音を発生させ続けても良い。
【００３９】
また、かごドア４が閉じる場合には、ドア制御装置２からの指令により、電動機３が逆回転するので、ロータリエンコーダ６は開放時の検出信号とは逆の閉止時の検出信号を音選択増幅装置１１に出力する。音選択増幅装置１１は、この閉止時の検出信号にしたがって、音発生装置７が発生する音のテンポを徐々に遅くなるように変化させていく。この音のテンポが遅くなる音信号をスピーカ９ａ、９ｂに送信してエレベータかごの内部や図示しないエレベータホールに出力する。かごドア４が完全に閉止された状態になると、音発生装置７は音の発生を停止するか、または、最も遅いテンポにする。エレベータの利用者は、スピーカ９ａ，９ｂから発せられる音楽やアナウンス等の音のテンポが徐々に遅くなっていくので、エレベータのかごドア４と連動して動くエレベータホールのドアの閉止されていく状態を確認することができる。
【００４０】
この第２実施形態によれば、エレベータのかごドア４およびこれと連動するエレベータホールのドアが開いていく状態のときには、スピーカ９ａ，９ｂから発せられる音楽やアナウンス等の音のテンポが徐々に速くなり、かごドア４およびこれに連動するエレベータホールのドアが閉まっていく状態のときには、スピーカ９ａ，９ｂから発せられる音楽やアナウンス等の音のテンポが徐々に遅くなっていくので、エレベータの利用者は音の音量変化によりドアの開閉状態を認識する。
【００４１】
（第５実施形態）
第５実施形態では、音の出力状態を変化させるだけでなく、表示装置による表示の状態も変化させるように制御している。第５実施形態の構成を図４に示し、その表示装置の詳細な例を図５（ａ）（ｂ）（ｃ）に示している。
【００４２】
図４において、符号２，３，６〜８，９ａ，９ｂ、１０，１１等を付した構成要素は、第１ないし第３実施形態のけるそれぞれの符号の構成要素と同一もしくは相当するものであるので、重複説明を省略する。
【００４３】
ドア入り検出装置としてのロータリエンコーダ６の検出信号は、増幅装置８（音程可変増幅装置１０，音選択増幅装置１１）へ出力されると共に、表示灯制御装置１３にも出力され、検出信号の信号強度の変化と共に表示灯制御装置による表示装置１２の表示状態も変化させている。表示装置１２は、複数または単数がエレベータホールやかご１内に設けられており、具体的には、図５（ａ）（ｂ）（ｃ）に示すような表示灯により構成される。図５（ａ）に示す表示灯１２ａは複数の色Ａ〜Ｆからなる表示灯であり、図５（ｂ）に示す表示灯１２ｂは複数の色Ａ〜Ｆを複数有する表示灯群であり、図５（ｃ）に示す表示灯１２ｃは回転表示灯である。表示灯制御装置１３は、表示灯１２ａ，１２ｂ，１２ｃを点灯または点滅させるように制御している。
【００４４】
エレベータのかご１が特定の階床に到着すると、ドア制御装置２によりドア用電動機３が回転し、リンク機構５を介してかごドア４を開放させる。かごドア４が開いていくと同時に音発生装置７から音楽やアナウンス等の音が生成される。一方、ドア用電動機３は、ドア制御装置２からの指令により回転させられて、同時にドア位置検出装置としてのロータリエンコーダ６がその回転を検出し、検出信号を増幅装置８（音程可変増幅装置１０、音選択増幅装置１１）の何れかに出力する。
【００４５】
増幅装置８（音程可変増幅装置１０、音選択増幅装置１１）は、ロータリエンコーダ６の検出信号にしたがって音発生装置７の発生する音を増幅し、音量を大きくしたり、音程を高くしたり、テンポの速い音を選択したりする。この音はスピーカ９ａ，９ｂに送信されエレベータかご１の内部やエレベータホールから利用者に対して出力される。これと同時に、ロータリエンコーダ６の検出信号は、図４に示す表示灯制御装置１３にも出力されて、図５（ａ）に示す表示灯１２ａを一方端から他方端へ向かって点灯させていく（例えば、戸閉端Ｆ→Ｅ→Ｄ→Ｃ→Ｂ→Ａ戸開端）。あるいは、図５（ａ）に示す表示灯１２ａを両端から中心へ向かって、点灯させていく（例えば戸閉端Ｆ，Ａ→Ｅ，Ｂ→Ｄ，Ｃ戸開端）。
【００４６】
また、図５（ｂ）に示すように、表示灯群ＡないしＦを、戸閉端Ｆを中心として両端の戸開端Ａまで左右対称に設けておいて、表示灯１２ｂを中心から両端に向かって左右対称に点灯させていくようにしても良い（例えば、戸閉端Ｆ→Ｅ→Ｄ→Ｃ→Ｂ→Ａ戸開端）。
【００４７】
さらに、図５（ｃ）に示すように、回転表示灯１２ｃがドア位置検出信号の検出に基づいて、回転を開始し、ドアが開放すればするほど回転表示灯の回転速度が速くなるようにして、かごドア４の開放位置を検出するようにしても良い。
【図面の簡単な説明】
【００４８】
【図１】第２実施形態によるエレベータドア装置の構成を示す斜視図。
【図２】第３実施形態によるエレベータドア装置の構成を示す斜視図。
【図３】第４実施形態によるエレベータドア装置の構成を示す斜視図。
【図４】第５実施形態によるエレベータドア装置の構成を示すブロック図。
【図５】第５実施形態によるエレベータドア装置の表示装置を（ａ）（ｂ）（ｃ）でそれぞれ示す説明図。
【符号の説明】
【００４９】
１  エレベータかご
２  ドア制御装置
３  ドア用電動機
４  かごドア
５  リンク機構
６  ドア位置検出装置（ロータリエンコーダ）
７  音発生装置
８  増幅装置
９ａ  かご内スピーカ
９ｂ  ホール用スピーカ
１０  音程可変増幅装置
１１  音選択装置
１２ａ，１２ｂ，１２ｃ  表示措置
１３  表示灯制御装置
【図１】
2008230810.tif 000003
【図２】
2008230810.tif 000004
【図３】
2008230810.tif 000005
【図４】
2008230810.tif 000006
【図５】
2008230810.tif 000007